(57)【要約】      （修正有）【課題】寝返り困難な老人又病人の、床ずれを防止する及び寝返りを補助する簡素で、静かで、軽量で、安価なベッドを提供する。【解決手段】ベッドの縦（長手）の一方向に、その中心部に芯材８を包み込んだ袋状の帯を数本掛け渡し、その一方の端をベッド後方（足下）の床面の枠に固定し、他方の端をベッド前方（枕元）の床面の枠に通したスリーブに掛け渡し、該スリーブの下方に設置した帯巻き取り用ローラー６にその一部を右巻きに、又一部を左巻きに巻き付け固定し、この帯巻き取り用ローラー６を右回転又は左回転することで、反対の回転方向に巻き付けた二種の帯を一動作で同時に緊張と弛緩の相反する状態にすることができることを特徴とし、該帯を数本ずつ交互に配列した場合は床ずれ防止ベッドとなり、該帯を中央を境に左右に分け、片方には右巻き付けの帯ばかりを、他方には左巻き付けの帯ばかりを配列した場合は寝返り補助ベッドとなる。【選択図】図１
2007021163.tif 000002
【特許請求の範囲】
【請求項１】
ベッドの縦（長手）の一方向に、その中心部に芯材を包み込んだ袋状の帯を数本掛け渡し、その一方の端をベッド後方（足下）の床面の枠に固定し、他方の端をベッド前方（枕元）の床面の枠に通したスリーブに掛け渡し、該スリーブの下方に設置した帯巻き取り用ローラーにその一部を右巻きに、又一部を左巻きに巻き付け固定し、この帯巻き取り用ローラーを右回転又は左回転することで、反対の回転方向に巻き付けた二種の帯を一動作で同時に緊張と弛緩の相反する状態にすることができることを特徴とし、該帯を数本ずつ交互に配列した床ずれ防止ベッドと該帯を中央で左右に半々に分け、一方には右巻き付け帯を他方には左巻き付け帯をまとめて配列した寝返り補助ベッド。
【発明の詳細な説明】
【技術分野】
【０００１】本発明は、床ずれ防止用及び寝返り補助用ベッドに関する。
【背景技術】
【０００２】床ずれは圧迫の強さ×圧迫の時間で発生すると云われており、自由自在に寝返りの出来ない老人や病人を床ずれから守るため、大別して、ベッドの床面をいくつかの部分に分け、それぞれを互い違いに昇降させる方式で、横臥する人体との接点を定期的に換える方式と、又、エアマットをいくつかの独立密閉した区画に分け、これらの区画に空気を注入し、その空気圧を区画ごとに変化をつけ加減する方式が開発されてはきた。前者の例としては特開２００３−６５４が後者の例としては特開平１１−３３０６２がこれに当たる。又、これらの例とは異質のものとして、ベルトを床面として使用した一見本発明と類似して見える装置で特開２００２−６６７がある。また、非介護者の身体を左右から起こし横向きにさせながら、該身体を拭いたり、シーツを交換する際の介護者の重労働を軽減するため、開発された装置の１例が特開平５−３１７３６６である。
【発明が解決しようとする課題】
【０００３】前記の特開２００３−６５４は、構造が複雑で故障や破損箇所も多く、コスト高の上、重量も増大する。
【０００４】前記の特開平１１−３３０６２は、横臥する人体の形状に合うように変形しがちで、圧迫の強さは軽減されるが通気性に欠け蒸れてしまう。又、エア調節に時間がかかり、これに伴う音がうるさく、耳障りである。
【０００５】前記の特開２００２−６６７は、固定ベルトと可動ベルトに分け、可動ベルトの高さのみを調節するというもので、固定ベルトが被介護者を支持する場合、該ベルトはＵ字型に垂れ下がった状態のため横臥する非介護者の身体は左右から締め付けられ窮屈に感じる。又可動ベルトが該被介護者を支持する場合、該ベルトは水平に近い状態になる。この床面の変化から来る違和感が大きく、特に被介護者就寝中の切り替えでは目が覚め熟睡を妨げる。その上これもまた構造が複雑で故障や破損箇所も多く、コスト高の上、重量も増大する。
【０００６】前記の特開平５−３１７３６６は、ベッドの床面を長手方向に中央から半々に分け、その片方の床面を中央部は動かさず外側を持ち上げ内に傾斜させることで、被介護者の半身を持ち上げ寝返りさせようとするものであるが、この際被介護者の身体は横滑りすることが多く、又傾斜した該床面自体が被介護者の身体に密着したままで、被介護者との間の障壁となり、介護の妨げになる場合がある。
【課題を解決するための手段】
【０００７】前記課題を解決するため本発明は、ベッドの縦（長手）の一方向に、その中心部に芯材を包み込んだ袋状の帯を数本掛け渡し、その一方の端をベッド後方（足下）の床面の枠に固定し、他方の端をベッド前方（枕元）の床面の枠に通したスリーブに掛け渡し、該スリーブの下方に設置した帯巻き取り用ローラーにその一部を右巻きに、又一部を左巻きに巻き付け固定し、この帯巻き取り用ローラーを右回転又は左回転することで、反対の回転方向に巻き付けた二種の帯を一動作で同時に緊張と弛緩の相反する状態にすることができることを特徴とし、該帯を数本ずつ交互に配列した場合は床ずれ防止ベッドとなり、該帯を中央を境に左右に分け、片方には右巻き付けの帯ばかりを、他方には左巻き付けの帯ばかりを配列した場合は寝返り補助ベッドとなる。
【発明の効果】
【０００８】本発明は、一動作でこれら緊張と弛緩の相反する状態の二種の帯を同時に正反対の状態に切り替えることができ、床ずれ防止ベッドとしては二種の帯の切り替え前後の床面形状の変化はなく、違和感も感じず、被介護者は安眠を妨げられることなく、被介護者の身体は定期的に圧迫から解放され、新鮮な空気を取り入れることも出来、床ずれを防止することができる。又、該帯の配置を変えた寝返り補助ベッドとしては、その切り替えによって生じた段差で、被介護者が横滑りすることなく、横向きに寝返りすることができ、帯の床面は常に水平を維持したままで、介護が容易になり、介護者の重労働を軽減できる。その上構造が簡素で、軽量故、コスト低減を可能にする。
【発明を実施するための最良の形態・実施例】
【０００９】図１は床ずれ防止ベッドの側面図である。ベッド本体１の縦（長手）の一方向に芯材８を包み込んだ帯２，３を数本架け渡し、それぞれの帯の一端をベッド本体１の縦（長手）方向床面の後方（足下）の枠４に固定し、その床面の反対側（枕元）の枠に通したスリーブ５に掛け渡した帯の一端をスリーブ５の下部に設けた帯巻き取り用ローラー６に固定する。このとき、帯２，３を被介護者の身体の状況に合わせ数や巾を決定し、数本ずつ分け、分けた一部を右回りの方向に、残りの一部を左回りの方向に取り付ける。（本図は、その１例として巾５ｃｍ角材を包み込んだ帯を１本ずつ交互に取り付けた例であるが、帯２，３の巾、数、位置、芯材の材質や形状及び巻き取り用ローラー６の設置場所については特にこれには拘らない。）こうすることにより、帯巻き取り用ローラー６が右回転した時は右回りの方向に取り付けた帯２が緊張し、左回りの方向に取り付けた帯３は弛緩する。又、帯巻き取り用ローラー６が左回転した時は左回りの方向に取り付けた帯３が緊張し、右回りの方向に取り付けた帯２は弛緩する。よってこれら帯のうち緊張状態にある帯が実使用の際にはこれら帯の上に敷かれる敷き布団及びマットレスの類を介して被介護者を支持する。帯巻き取り用ローラー６はローラー６本体に取り付けたハンドル７で手動にて操作する。
【００１０】又このハンドル操作に換えて、モーターその他の駆動装置やタイマーを連結することで、自動で定期的に右回転、左回転と繰り返すことにより、該帯を緊張と弛緩の正反対の状況を自動的定期的に繰り返し作り出すこともできる。
【００１１】図６、図７、図８はそれぞれ寝返り補助ベッドに非介護者が横臥した状態での断面図であるが、図６は右回転後の停止位置、図８は左回転後の停止位置、図７はそれらの中間位置の図である。これは前記床ずれ防止ベッドの帯の配置を変えるだけ（本図はその一例として２種の帯を中央部で左右に分け右巻き付けの帯２を左側に、左巻き付けの帯３を右側に配置したものである）で出来、操作法は床ずれ防止ベッドのそれと同様にして行う。
【図面の簡単な説明】
【図１】床ずれ防止ベッドの側面図である
【図２】床ずれ防止ベッドの正面図である
【図３】床ずれ防止ベッドの上面図である
【図４】床ずれ防止ベッドの帯巻き取り用ローラー６の右回転動作図である
【図５】床ずれ防止ベッドの帯巻き取り用ローラー６の左回転動作図である
【図６】寝返り補助ベッドの帯巻き取り用ローラー６の右回転動時の状態の断面図である
【図７】寝返り補助ベッドの帯巻き取り用ローラー６の中央停止状態の断面図である
【図８】寝返り補助ベッドの帯巻き取り用ローラー６の左回転動時の状態の断面図である
【符号の説明】
１  ベッド本体の先端の枠
２  右回りに取り付けた帯
３  左回りに取り付けた帯
４  縦の先端の枠
５  反対側の枠
６  帯巻き取り用ローラー
７  切り替えハンドル
８  芯材
９  被介護者
【図１】
2007021163.tif 000003
【図２】
2007021163.tif 000004
【図３】
2007021163.tif 000005
【図４】
2007021163.tif 000006
【図５】
2007021163.tif 000007
【図６】
2007021163.tif 000008
【図７】
2007021163.tif 000009
【図８】
2007021163.tif 000010